(57)【要約】      （修正有）【課題】ＡＥＤを屋外に設置できる様に、防水・耐熱構造を設えたＡＥＤ内蔵収納ボックス装置を提供する。【解決手段】屋外仕様型ＡＥＤ内蔵収納ボックスは、温度管理のため耐熱遮へい板１０６、吸気部１０７、排気部１０８、熱源部１０９の熱源・温度設定制御部１１０から構成されている。また、温度制御として耐熱遮へい板１０６はＡＥＤ収納ボックスから数センチメートル離れた場所に設けられ、正面部１０１、側面右側部１０２、側面左側部１０３、後面部１０４、及び上部１０５から構成されている。ＡＥＤ収納ボックスから数センチメートル離れた耐熱遮へい板１０６との間の空気の層と熱による自然対流とファンによる強制補強対流、それによりトンネル効果が期待されＡＥＤ収納ボックスの表面には常に新しい外気温度で保持されており温度上昇を防ぐ事が出来る。【選択図】図１
0003160478.tif 000002
【実用新案登録請求の範囲】
【請求項１】
自動体外式除細動器（以後ＡＥＤ）をボックスに収納し、そのボックスを屋外に設置す
る、屋外仕様型ＡＥＤ内蔵収納ボックス。
【請求項２】
請求項１に記載の屋外仕様型ＡＥＤ内蔵収納ボックス装置であって、前記ボックスの正
面部（１０１）、側面右側部（１０２）、及び側面左側部（１０３）、後面部（１０４）、
及び上部（１０５）にＡＥＤ収納ボックスから少し離した耐熱用遮へい板（１０６）を設
け熱気の対流を促し、ボックスの温度上昇を抑えることを特徴とした屋外仕様型ＡＥＤ内
蔵収納ボックス装置である。
【請求項３】
請求項１に記載の屋外仕様型ＡＥＤ内蔵収納ボックス装置であって、さらに前記ボック
スの後面部（１０４）にファン及び自然吸気での吸気部（１０７）、ファン及び自然排気
での排気部（１０８）で温度管理を行う事を特徴とした屋外仕様型ＡＥＤ内蔵収納ボック
ス装置である。
【請求項４】
請求項１に記載の屋外仕様型ＡＥＤ内蔵収納ボックスであって、さらに前記ボックスに
熱源部（ヒーター）（１０９）を設け、温度下降時の温度管理を行うことを特徴とした屋
外仕様型ＡＥＤ内蔵収納ボックス装置である。
【請求項５】
請求項１に記載の屋外仕様型ＡＥＤ内蔵収納ボックスであって、さらに前記ボックスの
中央部に温度管理用センサーを用いた温度設定制御部（１１０）を設け、温度上昇時、温
度下降時の温度管理を行うことを特徴とした、屋外仕様型ＡＥＤ内蔵収納ボックス装置で
ある。
【請求項６】
請求項１に記載の屋外仕様型ＡＥＤ内蔵収納ボックスであって、さらに前記ボックスの
開口扉・窓に対しては防水用クッション材でＡＥＤ収納ボックス内に雨水の防水対策を施
した事を特徴とした屋外仕様型ＡＥＤ内蔵収納ボックス装置である。
【考案の詳細な説明】
【技術分野】
【０００１】
ＡＥＤ本体が単体で保管されていては、いざという時には誰も使えない。
突然の心拍停止にはその場に居合わせた人の、いち早い救命救急活動が重要になり、日頃
から目にする場所にＡＥＤ収納ボックスを設置することで迅速な処置が可能になる。まし
て屋外によるＡＥＤ収納ボックスは心肺停止の確率の高さからも強く要望されている。
【背景技術】
【０００２】
ＡＥＤ収納ボックスの周囲に遮へい板を設け、直接日光がＡＥＤ収納ボックスに直射す
ることを避ける。
【０００３】
ＡＥＤ収納ボックスが設定温度外に到達した場合には後面部（１０４）に設けた、吸気
部（１０７）、排気部（１０８）によりファン及び自然対流で吸・排気を行う。
【０００４】
屋内仕様型ＡＥＤ内蔵収納ボックスはすでに現存しているが、心配停止の確率の多い屋
外仕様型ＡＥＤ内蔵収納ボックスは外気に対する対応が期待されている。
【０００５】
ＡＥＤ収納ボックスを屋外に設置する場合、防水・設定温度内に保持する方法としてエ
アコン等の装置を使うことは価格が高く急速な普及が難しいと考えられる。
【考案の開示】
【考案が解決しようとする課題】
【０００６】
ＡＥＤ本体が単体で保管されていては、いざという時には誰も使えない。
突然の心拍停止にはその場に居合わせた人の、いち早い救命救急活動が重要になり、日頃
から目にする場所にあり、目立つことで、ＡＥＤ収納ボックスを認識し、いざという時に
迅速な処置が可能になる。まして屋外によるＡＥＤ収納ボックスは心肺停止の確率の高さ
からも強く要望されている。
【０００７】
ＡＥＤ本体は高価で、メンテナンスへの抵抗感もあり、またＡＥＤ本体の使用有効期間
も５年がほとんどであり、ＡＥＤ本体の社会的必要性の認識は高くても、急速な普及は難
しいと考えられる。
【課題を解決するための手段】
【０００８】
自動体外式除細動器（以後ＡＥＤ）は心拍停止状態になった患者を救う救命救急装置と
して市民が使用できることが可能になったが、一般的には価格が高く、急速な普及が難し
いと考えられている。ましてＡＥＤ収納ボックスを屋外に設置は防水・温度対策を解決し
なければならない。ＡＥＤを急速に普及させる方法として、防水・温度対策をほどこした
ことを特徴とする方法である。
【０００９】
請求項２を解決する方法であって、ＡＥＤ収納ボックスの正面部（１０１）、側面右側
部（１０２）、及び側面左側部（１０３）、後面部（１０４）、及び上部（１０５）にＡ
ＥＤ収納ボックスから少し離した耐熱遮へい板を設け、熱気の対流をファン及び自然対流で促し、温度上昇を抑えることを特徴とした屋外仕様型ＡＥＤ内蔵収納ボックス装置である。
【００１０】
請求項３を解決する方法であって、ＡＥＤ収納ボックスの後面部（１０４）にファン及
び自然吸気で強制的及び自然対流による吸気部（１０７）とファン及び自然排気で強制的
及び自然対流による排気部（１０８）で温度管理を行うことを特徴とした屋外仕様型ＡＥ
Ｄ内蔵収納ボックス装置である。
【００１１】
請求項４を解決する方法であって、ＡＥＤ収納ボックスに熱源部（ヒーター）（１０９）
を設け、温度降下時の温度管理を行うことを特徴とした屋外仕様型ＡＥＤ内蔵収納ボック
ス装置である。
【００１２】
請求項５を解決する方法であって、ＡＥＤ収納ボックスの中央部に温度管理用センサー
を用いた温度設定制御部（１０８）を設け、温度上昇時、温度降下時の設定された温度管
理を制御する事を特徴とした屋外仕様型ＡＥＤ内蔵収納ボックス装置である。
【考案の効果】
【００１３】
ＡＥＤ本体が高価であり、またメンテナンスの抵抗感から急速な普及が困難である。Ａ
ＥＤ本体をボックスに収納し、そのボックスに防水・温度管理を用いて屋外に設置可能に
なる。結果として社会的要求の強いＡＥＤを屋外に設置する事で、急速に普及するという
効果が得られる。
【考案を実施するための最良の形態】
【００１４】
屋外仕様型ＡＥＤ内蔵収納ボックスは防水・温度管理で構成されている。温度管理とし
て耐熱遮へい板（１０６）、吸気部（１０７）、排気部（１０８）、熱源部（１０９）の
熱源・温度設定制御部（１１０）から構成されている。
【００１５】
温度制御として耐熱遮へい板（１０６）はＡＥＤ収納ボックスから数センチメートル離
れた場所に設けられ、正面部（１０１）、側面右側部（１０２）、側面左側部（１０３）、
後面部（１０４）、及び上部（１０５）から構成されている。材料は鉄板、樹脂料等があ
るが、ＡＥＤ収納ボックスから数センチメートル離れた耐熱遮へい板（１０６）との間の
空気の層と熱による自然対流とファンによる強制補強対流、それによりトンネル効果が期待されＡＥＤ収納ボックスの表面には常に新しい外気温度で保持されており温度上昇を防ぐ事が出来る。
【００１６】
温度制御としてＡＥＤ収納ボックスの後面部（１０４）には吸気・排気用の孔があり、
ファン及び自然吸気での吸気部（１０７）とファン及び自然排気での排気部（１０８）で
構成されている。そしてＡＥＤ収納ボックスの中央部に温度管理センサーを用いた、温度
設定制御部（１１０）を設け、温度上昇時、温度降下時の温度制御をファンを回すことで
実現し、温度降下時には温度設定制御部（１１０）の設定で熱源部（１０９）のヒーター
からの熱源で設定温度内を保持する構成になっている。
【００１７】
防水対策として開口扉、窓に対しては防水用クッション材としてゴムパッキン等でＡＥ
Ｄ収納ボックス内に雨水の防水対策を施した構成になっている。
【００１８】
屋外に設置することにより、ＡＥＤ内蔵収納ボックスは日頃から目にする場所に設置さ
れ目立つ事で、常に存在を認識しており、脳裏に記憶され、いざという時に迅速な処置が
可能となる。
【実施例１】
【００１９】
駅、公共施設等には急速な勢いでＡＥＤの設置が進められている。公共施設でも公園等
に設置される場合には屋外対応のＡＥＤ収納ボックスが要望されている。患者が倒れてか
ら３分が対応時間と言われるならば、ＡＥＤ本体のカバー出来る距離は２００ｍ前後と思
われる。
【００２０】
ＡＥＤ本体、ＡＥＤ収納ボックスは屋内設置がほとんどで、心肺停止の可能性の高い屋
外への設置は皆無であり、屋外仕様型ＡＥＤ内蔵収納ボックスは急速に普及する可能性が
ある。
【００２１】
ＡＥＤ本体の使用可能期間は５年間がほとんどである。５年を経過すると必然的にＡＥ
Ｄ本体を交換しなければならない。まして、屋外仕様型ＡＥＤ内蔵収納ボックスは有力な
新規設置場所であり急速に普及する可能性もある。
【産業上の利用可能性】
【００２２】
現在のＡＥＤの設置台数は２０万台以上と言われており、正式な台数の把握ができてい
ないのが現状である。ましてそのほとんどがＡＥＤ本体だけの設置であり、盗難、いたず
ら等の関係で目立つような場所に設置していない。このような状況では、いざという時に
誰も使うことが出来ない。突然の心拍停止にはその場に居合わせた人の、いち早い救命救
急活動が重要になり、日頃から目にする場所にＡＥＤ収納ボックスを設置することで迅速
な処置が可能となる。まして屋外によるＡＥＤ収納ボックスは心拍停止の確率の高さから
も強く要望されており、緊急時に素早く見つけることが可能となる。
【図面の簡単な説明】
【００２３】
【図１】正面部    （１０１）        ＡＥＤ収納ボックスの正面図                      側面右側部（１０２）        ＡＥＤ収納ボックスの右側面図                    側面左側部（１０３）        ＡＥＤ収納ボックスの左側面図                    後面部    （１０４）        ＡＥＤ収納ボックスの後面図                      上部      （１０５）        ＡＥＤ収納ボックスの上面部                      耐熱遮へい板（１０６）      ＡＥＤ収納ボックス周囲図                        吸気部    （１０７）        ＡＥＤ収納ボックス後面下部図                    排気部    （１０８）        ＡＥＤ収納ボックス後面上部図                    熱源部    （１０９）        ＡＥＤ収納ボックス内部底部図                    温度設定制御部（１１０）    ＡＥＤ収納ボックス中央部図
【符号の説明】
【００２４】
正面部    （１０１）        ＡＥＤ収納ボックスの正面に開口部以外に耐熱
用遮へい板で構成されている。
側面右側部（１０２）        ＡＥＤ収納ボックスの右側部に耐熱用遮へい板
で構成されている。
側面左側部（１０３）        ＡＥＤ収納ボックスの左側部に耐熱用遮へい板
で構成されている。
後面部    （１０４）        ＡＥＤ収納ボックスの後面に吸気孔、排気孔等
の開口部以外に耐熱用遮へい板で構成されてい
る。
上部      （１０５）        ＡＥＤ収納ボックスの上面に耐熱用遮へい板で
構成されている。
耐熱遮へい板（１０６）      ＡＥＤ収納ボックスとの間に空気層を設け、空
気の対流を促し、熱伝導を遮へいする耐熱用遮
へい板で鉄板、樹脂等で構成されている。
吸気部    （１０７）        ＡＥＤ収納ボックス後面部（１０４）に設定温
度外に到達した時に外気を強制的に吸い込むフ
ァン及び自然対流で外気を吸い込む開口部から
構成されている。
排気部    （１０８）        ＡＥＤ収納ボックス後面部（１０４）に設定温
度外到達した時に外気を強制的に排気するファ
ン及び自然対流で温度上昇した空気を排気する
開口部から構成されている。
熱源部    （１０９）        ＡＥＤ収納ボックスの底部に熱源であるヒータ
ー等を設け設定温度外に温度降下があった場合
温度設定制御部（１１０）の管理で対応する機
能から構成されている。
温度設定制御部（１１０）    ＡＥＤ収納ボックスの中央部に温度管理用セン
サーを用い、温度上昇時、温度降下時の温度管
理制御を行い、吸気部（１０７）、排気部（１
０８）、熱源部（１０９）のヒーター制御、フ
ァンを制御する温度設定制御回路で構成されて
いる。  
【図１】
0003160478.tif 000003
【手続補正書】
【提出日】平成22年1月22日(2010.1.22)
【手続補正１】
【補正対象書類名】実用新案登録請求の範囲
【補正対象項目名】全文
【補正方法】変更
【補正の内容】
【実用新案登録請求の範囲】
【請求項１】
自動体外式除細動器（以後ＡＥＤ）をボックスに収納し屋外設置し、空気の流れにより
ボックス内の温度をＡＥＤ保管温度内に保つ形状を持つ屋外仕様型ＡＥＤ内蔵収納ボックス。
【請求項２】
請求項１に記載の屋外仕様型ＡＥＤ内蔵収納ボックス装置であって、前記ボックスの正
面部（１０１）、側面右側部（１０２）、及び側面左側部（１０３）、後面部（１０４）、
及び上部（１０５）にＡＥＤ収納ボックスから少し離した耐熱用遮へい板（１０６）を設
け熱気の対流を促し、ボックスの温度上昇を抑えることを特徴とした屋外仕様型ＡＥＤ内
蔵収納ボックス装置。
【請求項３】
請求項１に記載の屋外仕様型ＡＥＤ内蔵収納ボックス装置であって、さらに前記ボック
スの後面部（１０４）にファン及び自然吸気での吸気部（１０７）、ファン及び自然排気
で排気部（１０８）で温度管理を行う事を特徴とした屋外仕様型ＡＥＤ内蔵収納ボック
ス装置。
【請求項４】
請求項１に記載の屋外仕様型ＡＥＤ内蔵収納ボックスであって、さらに前記ボックスに
熱源部（ヒーター）（１０９）を設け、温度下降時の温度管理を行うことを特徴とした屋
外仕様型ＡＥＤ内蔵収納ボックス装置。
【請求項５】
請求項１に記載の屋外仕様型ＡＥＤ内蔵収納ボックスであって、さらに前記ボックスの
中央部に温度管理用センサーを用いた温度設定制御部（１１０）を設け、温度上昇時、温
度下降時の温度管理を行うことを特徴とした、屋外仕様型ＡＥＤ内蔵収納ボックス装置。
【請求項６】
請求項１に記載の屋外仕様型ＡＥＤ内蔵収納ボックスであって、さらに前記ボックスの
開口扉・窓に対しては防水用クッション材でＡＥＤ収納ボックス内に雨水の防水対策を施
した事を特徴とした屋外仕様型ＡＥＤ内蔵収納ボックス装置。
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
自動体外式除細動器（以後ＡＥＤ）をボックスに収納し屋外設置し、ＡＥＤ収納ボックスの正面部（１０１）、側面右側部（１０２）、及び側面左側部（１０４）、及び上部（１０５）にＡＥＤ収納ボックスから少し離した耐熱遮へい板を設け、熱気の対流をファン及び自然対流で促し、温度上昇を抑えることによりボックス内の温度をＡＥＤ保管温度内に保つ形状を持つ屋外仕様型ＡＥＤ内蔵収納ボックス装置。
【請求項２】
請求項１に記載の屋外仕様型ＡＥＤ内蔵収納ボックス装置であって、前記ボックスの正面部（１０１）、側面右側部（１０２）、及び側面左側部（１０３）、後面部（１０４）、及び上部（１０５）にＡＥＤ収納ボックスから少し離した耐熱用遮へい板（１０６）を設け熱気の対流を促し、ボックスの温度上昇を抑えることを特徴とした屋外仕様型ＡＥＤ内蔵収納ボックス装置。
【請求項３】
請求項１に記載の屋外仕様型ＡＥＤ内蔵収納ボックス装置であって、さらに前記ボックスの後面部（１０４）にファン及び自然吸気での吸気部（１０７）、ファン及び自然排気で排気部（１０８）で温度管理を行う事を特徴とした屋外仕様型ＡＥＤ内蔵収納ボックス装置。
【請求項４】
請求項１に記載の屋外仕様型ＡＥＤ内蔵収納ボックスであって、さらに前記ボックスに熱源部であるヒーター（１０９）を設け、温度下降時の温度管理を行うことを特徴とした屋外仕様型ＡＥＤ内蔵収納ボックス装置。
【請求項５】
請求項１に記載の屋外仕様型ＡＥＤ内蔵収納ボックスであって、さらに前記ボックスの中央部に温度管理用センサーを用いた温度設定制御部（１１０）を設け、温度上昇時、温度下降時の温度管理を行うことを特徴とした、屋外仕様型ＡＥＤ内蔵収納ボックス装置。
【請求項６】
請求項１に記載の屋外仕様型ＡＥＤ内蔵収納ボックスであって、さらに前記ボックスの開口扉・窓に対しては防水用クッション材でＡＥＤ収納ボックス内に雨水の防水対策を施した事を特徴とした屋外仕様型ＡＥＤ内蔵収納ボックス装置。